【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
処理のために組織試料から切片を薄切りにする薄切り具と、
前記試料の各切片を搬送する搬送システムと、
前記搬送システムから組織切片を受け取る処理ステーションと、
前記試料からの組織切片を保管する保管用コンテナと、
各切片を撮像する撮像デバイスと、
前記組織試料の表現を形成するデータプロセッサと
を備える自動試料処理システム。
【請求項２】
前記搬送システムは、キャプスタン吸込マニホールドに対して移動するコンベアベルトであり、前記キャプスタン吸込マニホールドは、円筒状の断面、楔形の断面または細長い断面のうちの１つを有する、請求項１に記載のシステム。
【請求項３】
前記切片の更なる撮像の前に、切断した前記切片に対して適用される二次アッセイを更に備える、請求項１に記載のシステム。
【請求項４】
前記撮像デバイスは、連続二光子断層撮影システムおよび光干渉断層撮影システムの少なくとも一つを含む、請求項１に記載のシステム。
【請求項５】
フィルムで被覆している、切断した前記切片を保護するための前記フィルムを更に備える、請求項１に記載のシステム。
【請求項６】
切断した切片に対してガスのパルスを向けるガス源または前記搬送システムから切断した前記切片への流体源は、切断した前記切片に対して流体を向ける、請求項１に記載のシステム。
【請求項７】
試料表面に塗布される被覆流体を更に備える、請求項１に記載のシステム。
【請求項８】
前記搬送システムの一部を機能化することによって、切断した各切片を前記搬送システムに付着させ、化学的結合または静電吸着を高める、請求項１に記載のシステム。
【請求項９】
前記組織試料は、寒天、アガロースもしくはポリアクリルアミド、またはヒドロゲルのうちの少なくとも１つに包埋される、請求項１に記載のシステム。
【請求項１０】
前記保管用コンテナは、ウェル、基板、ベルト、テープまたはフィルムのうちの１つである、請求項１に記載のシステム。
【請求項１１】
画像データを処理するデータプロセッサと、前記搬送システムを制御するコントローラとを更に備える、請求項１に記載のシステム。
【請求項１２】
吸入マニホールド、ベルト、および、円筒などの多孔質部材を含む組織捕捉デバイスを更に備える、請求項１に記載のシステム。
【請求項１３】
指標付けシステムを更に備え、前記指標付けシステムは、メモリデバイスにおけるそれぞれの切片画像および格納場所を識別する、請求項１に記載のシステム。
【請求項１４】
前記薄切りデバイスは、支持アーム間の間隙に対して位置決めされる刃を含む、振動刃ミクロトームを更に備える、請求項１に記載のシステム。
【請求項１５】
撮像のために前記ベルト上の前記試料を照明する光源を更に備える、請求項１に記載のシステム。
【請求項１６】
生体試料を処理する方法であって、
生体試料の１つまたは複数の部分を薄切りにして１つまたは複数の切片を形成する段階と、
組織捕捉デバイスを用いて前記生体試料からの前記１つまたは複数の切片に力を加え、前記１つまたは複数の切片を搬送材料の上に移し替える段階と、
薄切りステーションから処理ステーションまたは保管ステーションに切片を搬送する段階と
を備える方法。
【請求項１７】
前記搬送する段階は、流体槽中の試料を搬送材料に付着させて前記材料を前記処理ステーションに移動させる段階を含む、請求項１６に記載の方法。
【請求項１８】
薄切りデバイスおよび搬送デバイスを制御するようプログラムされているデータプロセッサを更に備え、搬送材料は移動ベルトを含む、請求項１６に記載の方法。
【請求項１９】
多孔質基板と、駆動プーリを含む１つまたは複数のプーリを有するフレームに取り付けられる吸込マニホールドとを有する組織捕捉デバイスを更に備え、前記吸込マニホールドは、流体槽に位置決めされるキャプスタンを含む、請求項１６に記載の方法。
【請求項２０】
前記搬送材料上の切片を感知するセンサを更に備え、前記搬送材料は、組織切片に流体力を加える多孔質ベルトまたは多孔質基板を含む、請求項１６に記載の方法。
【請求項２１】
吸入マニホールドが、流体ポンプに結合される、請求項１６に記載の方法。
【請求項２２】
前記センサは、撮像デバイスまたはカメラを含む、請求項２０に記載の方法。
【請求項２３】
組織切片を多孔質基板から分離するようガス流を向けるノズルを更に備える、請求項１６に記載の方法。
【請求項２４】
ガラススライドなどの切片基板を保管デバイスの指標付けられた位置へ搬送するロボティックアームを更に備える、請求項１６に記載の方法。
【請求項２５】
コンピュータまたはコントローラを用いて前記システムを自動制御する段階と、ディスプレイ上のグラフィカルユーザインターフェース上にシステム動作パラメータを表示する段階とを更に備える、請求項１６に記載の方法。
【請求項２６】
前記センサは、切片の縁を検出するための縁検出プログラムで動作する、請求項２０に記載の方法。
【請求項２７】
システムコントローラが、ポンプ流量、ベルト速度、切片の厚み、薄切り周波数、薄切り速度およびガス流を含むシステムパラメータを設定する、請求項１６に記載の方法。
【請求項２８】
切片が基板に載置されるよう、ロボティックアームがベルトに対する前記基板の位置決めを行う、請求項１６に記載の方法。
【請求項２９】
前記切片に不活性ガスを向けて前記切片を前記基板に付着させる、請求項１６に記載の方法。
【請求項３０】
カメラが各切片を撮像し、前記画像は、移動ベルト上の位置および向きを判断するために処理される、請求項１６に記載の方法。
【請求項３１】
撮像のために光源が前記試料を照明する、請求項１６に記載の方法。
【請求項３２】
振動刃ミクロトームを使用して組織試料のブロックフェースから切片を薄切りにする段階と、
切断した前記切片を搬送システムに付着させる段階と、
前記搬送システムを使用して、切断した前記切片を搬送する段階と、
切断した前記切片を前記搬送システムから更なる処理ステーションまたは保管用コンテナに移し替える段階と、
切断した前記切片を撮像する段階と、
前記薄切りにする段階、前記付着させる段階、前記搬送する段階、前記移し替える段階、および、前記撮像する段階を繰り返して、連続した複数の切断した切片の一連の画像を生成する段階と、
前記一連の画像を分析して前記組織試料の三次元（３Ｄ）表現を生成する段階と
を更に備える請求項１６に記載の方法。
【請求項３３】
前記撮像する段階は、ベルトまたはフィルム上の切片の画像を記録する段階を含む、請求項３２に記載の方法。
【請求項３４】
前記キャプスタン吸込マニホールドは、円筒状の断面、楔形の断面または細長い断面のうちの１つを有する、請求項３２に記載の方法。
【請求項３５】
撮像前に、切断した前記切片に対して二次アッセイを適用する段階を更に備える、請求項３２に記載の方法。
【請求項３６】
切断した前記切片を撮像する段階は、連続二光子断層撮影法または多光子撮像手法を含む、請求項３２に記載の方法。
【請求項３７】
切断した前記切片をフィルムで被覆することによって、切断した前記切片を保護する段階を更に備える、請求項３２に記載の方法。
【請求項３８】
切断した前記切片を前記搬送システムから移し替える段階は、切断した前記切片に対してガスのパルスを向ける段階を含む、請求項３２に記載の方法。
【請求項３９】
切断した前記切片を前記搬送システムに付着させる段階は、化学的結合または静電吸着を高めるよう前記搬送システムの一部を機能化する段階を含む、請求項３２に記載の方法。
【請求項４０】
前記組織試料は、寒天、アガロースまたはポリアクリルアミドのうちの少なくとも１つに包埋される、請求項３２に記載の方法。
【請求項４１】
前記保管用コンテナは、ウェル、基板、ベルト、テープまたはフィルムのうちの１つである、請求項３２に記載の方法。
【請求項４２】
データプロセッサでスペクトルデータを処理する段階を更に備える、請求項３２に記載の方法。
【請求項４３】
各切片の縁を感知する段階を更に備える、請求項３２に記載の方法。
【請求項４４】
請求項１から１５の何れかに記載のシステムを使用して前記試料を処理する段階を更に備える、請求項３２に記載の方法。
【請求項４５】
コンピュータ断層撮影法などの複数の撮像モードで各切片を撮像する段階を更に備える、請求項１６に記載の方法。